(57)【要約】本発明は、一貫して連続するおよび/または繰り返す信号（１０）を供給する方法と装置の実施に関するものである。繰り返されるこのような信号（１０）は、信号プロセッサ（１３）が制御を設定するのに利用することが可能である。例えば、ここで説明する事前サンプラ（１２）の実施例では、ユーザが、データセグメントを繰り返して信号プロセッサ（１３）に出力できるようにし、この結果、信号プロセッサ（１３）は、望んでいる効果が得られるように調整されることが可能になる。このような方法と装置は、データ信号（例えば、楽器演奏による音符または和音）を繰り返して発生させるような個別の試みと比較した場合、より一層の良い効果を提供することができる。
2006523851.tif 000002
【特許請求の範囲】
【請求項１】
データ源からデータストリームを繰り返して供給する方法において、
前記データストリームの中から選択されたセグメントを、記憶デバイスに格納するステップと、
前記データストリームの中から選択された前記セグメントを、前記記憶デバイスから、自動的に繰り返して再生するステップとを含むことを特徴とする方法。
【請求項２】
前記方法は、さらに、
前記データストリームの中から選択された前記セグメントを、信号プロセッサにおいて処理するステップを含む請求項１に記載の方法。
【請求項３】
前記方法は、さらに、
前記データストリームの中から選択された前記セグメントの継続期間を選択するステップを含む請求項１に記載の方法。
【請求項４】
各々の音楽的な音に対して、選択される前記継続期間を、０．５秒から１．５秒の間とする請求項３に記載の方法。
【請求項５】
音楽的な音のフレーズに対して、選択される前記継続期間を、１．０秒から４．０秒の間とする請求項３に記載の方法。
【請求項６】
前記データストリームが、事前に設定された閾値を超えるときに、前記格納するステップが起動する請求項３に記載の方法。
【請求項７】
前記データストリームが、アナログ信号である請求項１に記載の方法。
【請求項８】
データ源からデータストリームを繰り返して供給する装置において、
データ信号を生成するデータ源と、
前記データ源に結合されるプリビューサンプラとを含み、
前記プリビューサンプラは、前記データ信号の中から選択されたセグメントを格納するように構成され、かつ、前記データ信号の中から選択された前記セグメントを、自動的に繰り返して再生するように構成されることを特徴とする装置。
【請求項９】
前記装置は、さらに前記プリビューサンプラに結合する信号プロセッサを含み、
前記信号プロセッサは、前記データ信号の中から選択された前記セグメントを受信するように構成され、かつ、前記データ信号の中から選択された前記セグメントに対し少なくとも１つの信号処理機能を実行するように構成される請求項８に記載の装置。
【請求項１０】
前記装置は、さらに前記信号プロセッサに結合される出力装置を含み、
前記出力装置は、前記データ信号の中から選択された前記セグメントを前記信号プロセッサから受信し、前記セグメントを出力するように構成される請求項９に記載の装置。
【請求項１１】
前記データ信号の中から選択された前記セグメントの継続期間を選択することが可能である請求項９に記載の装置。
【請求項１２】
各々の音楽的な音に対して、選択される前記継続期間を、０．５秒から１．５秒の間とする請求項１１に記載の装置。
【請求項１３】
音楽的な音のフレーズに対して、選択される前記継続期間を、１．０秒から４．０秒の間とする請求項１１に記載の装置。
【請求項１４】
前記装置は、さらに前記プリビューサンプラと前記データ源とに結合されるトリガ検出回路を含み、
前記トリガ検出回路は、前記データ信号が事前に設定された閾値をいつ超えるかを検出するように構成される請求項１１に記載の装置。
【請求項１５】
前記装置において、
前記データ信号が事前に設定された前記閾値を超えるときに、前記プリビューサンプラは、前記データ信号の中から選択された前記セグメントの格納を開始するように構成される請求項１４に記載の装置。
【請求項１６】
前記データ信号が、アナログ信号である請求項８に記載の装置。
【請求項１７】
データ源からデータストリームを繰り返して供給する装置において、
複数のデータ信号を生成する複数のデータ源と、
入力データ信号の中から選択されたセグメントを格納し、さらに、前記選択されたセグメントを自動的に繰り返して再生するように構成されるプリビューサンプラと、
前記データ源の各々の出力に結合され、前記複数のデータ源の中の１つを選択し、選択されたデータ信号を前記プリビューサンプラの第１の入力に供給するように構成される第１のスイッチングデバイスと、
前記第１のスイッチングデバイスと前記プリビューサンプラとに結合され、前記第１のスイッチングデバイスによって選択されていないデータ源からのデータ信号を混合し、混合された前記データ信号を前記プリビューサンプラの第２の入力に供給するように構成されるミキサとを具備することを特徴とする装置。
【請求項１８】
前記装置が、さらに
前記プレビューサンプラの第１の出力と前記複数のデータ源とに結合され、前記第１のスイッチングデバイスによって選択されていないデータ源からのデータ信号と、前記プレビューサンプラの第１の出力に現れるデータ信号とを出力するように構成される第２のスイッチングデバイスと、
前記第２のスイッチングデバイスに結合され、前記第１のスイッチングデバイスによって選択されていない前記データ源からの前記データ信号の中の１つと、前記プレビューサンプラの第１の出力に現れるデータ信号とを、それぞれ別個に受信するように構成される複数の信号プロセッサと、
前記信号プロセッサと前記ミキサとに結合され、前記第１のスイッチングデバイスによって選択されていない前記信号プロセッサからのデータ信号を前記ミキサに供給し、かつ、前記第１のスイッチングデバイスによって選択されている前記信号プロセッサの中の１つからの前記データ信号を出力装置に供給する第３のスイッチングデバイスとを具備する請求項１７に記載の装置。
【請求項１９】
前記装置が、さらに、前記プリビューサンプラに結合されるフィルタ回路を含み、
前記フィルタ回路は、前記プリビューサンプラが入力される前に前記データ信号から選択された周波数成分に対してプリエンファシスを行い、前記プリビューサンプラから出力される前記データ信号から選択された周波数成分に対してディエンファシスを行うように構成される請求項１８に記載の装置。
【請求項２０】
前記装置が、さらに、前記プリビューサンプラに結合されるフィルタ回路を含み、
前記フィルタ回路は、前記プリビューサンプラが入力される前に前記データ信号から選択された周波数成分に対してプリエンファシスを行い、前記プリビューサンプラから出力される前記データ信号から選択された周波数成分に対してディエンファシスを行うように構成される請求項８に記載の装置。
【請求項２１】
データ源からデータ信号を繰り返して供給する装置において、
データ信号を生成するデータ源と、
入力部、出力部および記憶手段とを有する単一のタップの遅延効果デバイスとを具備し、
前記遅延効果デバイスは、データ信号から選択されたセグメントを、前記記憶手段から繰り返して再生するために、前記データ信号から選択された前記セグメントを前記記憶手段に格納し、当該遅延効果デバイスの入力部に、格納された前記データ信号を出力することを遅延させるように構成されることを特徴とする装置。
【請求項２２】
データ源からのデータ信号を繰り返して供給する方法において、
データ源からデータ信号を生成するステップと、
前記データ信号から選択されたセグメントを、単一タップの遅延効果デバイスに格納するステップと、
前記データ信号から選択された前記セグメントを繰り返して再生するために、前記単一タップの遅延効果デバイスの入力部に、格納された前記データ信号を出力することを遅延させるステップとを含むことを特徴とする方法。
【請求項２３】
ループ信号の終了ポイントと開始ポイントとの出会いの箇所で発生する、好ましくない信号への副作用を低減させる方法において、
前記副作用が発生する可能性がある少なくとも１つの周波数レンジにおいて、前記ループの前記出会いの前の信号に対して、プリエンファシスを行うステップと、
前記１つの周波数レンジと同一の周波数レンジにおいて、前記ループ信号の出会いの後の信号に対して、ディエンファシスを行うステップとを含むことを特徴とする方法。
【請求項２４】
閾値のメカニズムをトリガする方法において、
データ源信号をデバイスに供給するステップと、
前記デバイスの出力をミキサの１つのチャネルに供給するステップと、
前記データ源信号を前記ミキサの第２のチャネルに供給するステップと、
前記デバイスの出力または前記データ源信号のいずれか一方を反転させるステップと、
前記デバイスの出力と前記データ源の信号とを加算して、加算結果を零にするために、前記デバイスの前記出力と前記データ源信号とを混合するステップと、
前記デバイスの前記出力と前記データ源信号とを混合した信号を、閾値検出回路に出力するステップとを含むことを特徴とする方法。
【請求項２５】
閾値のメカニズムをトリガする装置において、
データ源信号を生成する第１のデバイスと、
前記第１のデバイスに結合される外部のデバイスと、
前記第１のデバイスと前記外部のデバイスとに結合され、前記第１のデバイスからの前記データ源信号または前記外部のデバイスからの信号のいずれか一方を反転させ、前記データ源信号または前記外部のデバイスからの信号の他方の信号と加算して、加算結果を零にするための２つのチャネルのミキサと、
前記２つのチャネルのミキサに結合される閾値検出デバイスとを含むことを特徴とする装置。
【発明の詳細な説明】
【技術分野】
【０００１】
本発明は、一貫性があって連続しているおよび/または繰返しの信号を供給する処理に係るものである。より詳細に言えば、本発明は、オリジナルとなる信号源および/またはデータストリームから、連続信号、繰返しの信号、データストリームを製作するための方法と装置と、および連続信号、繰返しの信号、データストリームを供給するための方法と装置とに係るものである。
【背景技術】
【０００２】
多種多様である源からの信号を修正するためのプロセッサとして、既存のデバイスを使用することはいろいろな分野で知られている。プロセッサ自身、制御可能なパラメータの変数を保有しており、各々のパラメータの設定において種々の複雑性を有している。一般的に、人間の操作者または構築された制御デバイスは、実施してみた調整結果のいくつかの認識を基礎にして、これら対象の調整を行っている。音響の世界で共通に発生している出来事が、明解な事例を提供している。楽器の音を増幅し、記録することが望まれる状況において、電気的信号（またはディジタル信号、または他の利用できる信号）は、通常マイクロフォン（または、他の音からの変換装置）および接続された増幅器を介して供給される。典型的なのは、この電気的信号は、１つまたはいくつかのプロセッサを通して修正されていく。このプロセッサには、イコライザ、フィルタ、コンプレッサ、反響装置および他の多数の効果装置が含まれる。音響のエンジニアが、使用プロセッサの各々の制御パラメータを変化させながら、当該プロセッサによって作られる音を修正ができるように聞けるようにするため、音楽奏者は、繰り返して楽器を演奏することになるであろう。そして、このような状況で、信号が修正されることにおいて、３つの問題が発生している。
【０００３】
１）聞き手（listener）は、修正された電気的な音しか聞くことができず、オリジナルの音響の音は、聞き手からはアイソレーションされたことになっているに違いない。この要因は、通常レコーディング用スタジオで作業が完成するため、演奏することと聞くこととの間に、物理的に音響的にも離れた空間が存在し、または機器（テープ等）に録音されることであり、また一方で、音源として録音されたものが使用されるためである。
【０００４】
いくつかのヘッドフォンは、アイソレーションの度合いが制限されており、音響サウンドからのアイソレーションが不可能なとき（通常は、生演奏の状況において）または許されないときに、使用される。
【０００５】
２）演奏者は、さまざまの短いフレーズを、何回も演奏しなければならない。それは、聞き手が、使用する機器の効果を聞くことができるようにするためである（音楽の題材が変わる度に、この変化が、操作用ノブを回すこと、あるいは音の調子を派手にするか異なったものにすることに起因するかどうかを判断することは難しい）。この調整過程は、演奏者を大変疲れさせることになる。なぜなら、録音または生演奏で、良い音を得るために注意深く調整を行うことは、多くの時間を費やすことになる。また、多くの演奏者は継続して１つのフレーズを演奏することは得意ではなく、これが、聞き手およびエンジニアの仕事を難しくまたは不可能にさせている。
【０００６】
３）演奏者と聞き手が同一であって、かつ、録音システムが有用でない場合、活用するのに唯一頼りにできるものは（推測を超えるものではあるが）、上述したように制限されたアイソレーションを有するが、ヘッドフォンを使用することである。大きい音を出す楽器（例えば、ドラム）としては、よい仕事をさせるような充分なアイソレーションが提供するようなヘッドフォンはない。歌手にとっては、ヘッドフォンは、まったくアイソレーションがされないことになる。なぜなら、歌手の体を通した体内での音の伝搬があるからである。
【発明の開示】
【発明が解決しようとする課題】
【０００７】
これらの問題は、信号が音響的アイソレーションを必要としない状況においては大事ではなく、むしろ、その他の問題が発生する可能性がある。例えば、信号源は、不規則度を有しており、プロセッサがひとたび適切にセットされたならば、その目標に到達できるであろうかもしれないが、その不規則度がプロセッサのパラメータの調整を難しくする可能性がある。
【課題を解決するための手段】
【０００８】
以上に説明してきた問題を、本発明の方法と装置によって、解決を図るものである。本発明の実施に従えば、当該システムは、便利な小さなテスト用信号（上記の例で説明したような、短い音楽のフレーズのようなもの）を取り込み、これを適切な媒体に記録し、希望するプロセッサまたは他のシステムで繰り返して再生できるように、特別にあつらえて製作することが可能である。本発明の１つの実施例においては、標準の構成要素が、装置を構成するのに使用することができる。その構成要素とは、以下である。
１）適切な品質を有する、短時間の使用に限定したサンプラ（または、他の記録媒体）を準備モードに設定する。
２）操作者からの信号、または事前に選択されたレベル（一定の“閾値”）で目的とする信号を検出したことに基づき、音または他の信号を、適切な時間（例えば、約１秒または２秒）記録する。
３）記録した信号は、即座に連続して再生（すなわち、“ループの状態”）することが可能で、操作者がプロセッサに必要な調整を行うことを許容することができる。
【０００９】
特に、上記の音響の例では、当該システムの有利な点がいくつかあり、このいくつの有利な点は、下記のとおりである。
１）信号の長い部分を記録する必要がなく、他の記録装置も必要としない。
２）アイソレーションした空間を必要としない。
３）音楽演奏者または他の人物によって生成された信号があるところでは、演奏者は、テスト用フレーズを繰り返して再演する必要はなく、精神的および体力的疲労を回避することができる。種々な条件のもと、音楽演奏者でなくともフレーズを作成することが充分に可能なので、演奏者は、プロセッサをまったく調整する必要がなくなる。また、繰り返しのループで発生する完全な同一パターンは、このようなタイプの調整には度々理想的な信号となる。そのため、上手な音楽演奏者が提供するものより、さらに良いテスト用信号を度々提供することになる。
４）音楽演奏者または他の人物によって生成された信号があるところでは、信号の記録版は、単一でできる方法で処理が可能なので、同一人物が調整する操作者になることが可能である（すなわち、演奏家にとって、直接音の制御プロセスに参加することができる）。これは歌手にとっては特に真実味があることで、なぜなら、彼等は、自身の声からアイソレーションすることは今までできなかったことである。記録された信号だけが、知ることのできる解答となる。生演奏の状況においては、記録することは、実行可能でもなく、活用できないことがある。本発明は、歌手に“音”を作成するプロセスについて制御することを許容することになるので、歌手の声は、聴衆が聞くことになる音響システムを通して制作されることになる。
５）特別な状況または状況の組み合わせのために、実験を行うことが、繰り返し時間の長さや速度を最適化すること、聞く際の最短の調整時間と最小の疲労とを許容化することのために、使用することが可能になる。
【００１０】
本発明によれば、この処理は、商業的に供給されているサンプラを利用することにより、完成することが可能である。この市販品を利用することは、面倒なことである。なぜなら、市販のサンプラの信号パスにおいて、事前処理のために、数箇所に配線やスイッチングを追加する必要が生じ、一方でまた、サンプラの処理に数ステップの追加を必要とすることになる。このステップとは、「記録」、「サンプルの編集」、「ループ長さの設定」が該当する。
【００１１】
いくつかの状況では、２つ（または、それ以上）の信号が、対話形式で行うような調整が必要な相互作用の内容をもっているものがあるかもしれない。そういう状況の１つに、音響信号を扱うときに、しばしば同時に２つ以上の音源を使用するような状況がある。例えば、非常に近い位置関係で演奏する楽器があるかもしれない。バイオリンとピアノとの関係がそうである。また、いくつかの楽器は、しばしば１つ以上のマイクロフォンの使用を必要とする（一般的な例では、ピアノとドラムセットがそうである）。各々のマイクロフォンは、特別な楽器の音だけ、または楽器の一部の音だけを拾うために設置されることになる。実際は、他の楽器からの音、または同一楽器からの望まれない音が、すべてのマイクロフォンに混入してくる。これは、音響のクロストークと呼ばれる。他のマイクロフォンに入ってくる楽器からのクロストーク音は、当該マイクロフォンが拾おうとしていた楽器の音量レベルに対して、たまに近づくことがあり、上回ることさえある。従って、マイクロフォンの音を修正する場合、最後の完成品を希望通りにするためには、当該マイクロフォンの単独の信号と同様に、他の関連したマイクロフォンの信号を混合させたマイクロフォンの信号を聞くことができることが、重要となる。
【００１２】
２つの信号源で説明した問題は、２以上の信号源を扱うときの問題と同一である。問題の解決方法は、各々の信号に対して１つのチャネルをもつことである。この解決方法が実際にはできないような状況下においては、１つの解決手段は、２つのサンプラチャネルだけを利用して、マルチ信号チャネルに構成できるように備えることである。２つのサンプラチャネルとは、信号を修正するためのチャネルＡ、および、チャネルＡと関連が認められる他のすべての信号を混合するためのチャネルＢのことである。上記で説明した音響の問題解決のために、チャネルＢをオンオフすることより、聞き手は、単独のマイクロフォンの状態（ここでは、音がどう影響を受けているかが最も容易に聞ける）と、他のすべてのマイクロフォンによる組み合わせの状態（最終の完成に、必要になるであろう）との間を行ったり来たりすることが可能である。この実施方法を、調整に必要な信号の多様性を容易にする使用方法に関連するスイッチングメカニズムと一緒に、以下で説明する。
【発明を実施するための最良の形態】
【００１３】
図１に関連して、１つまたは複数のプロセッサによる信号の調整を容易にする装置のブロック図を示す。ソースとなる信号源１０は、適切な長さにされてプレビューサンプラ１２に供給され、記録される。そして、プレビューサンプラは、記録した信号を繰り返して再生し、信号プロセッサ１３の入力に供給する。信号プロセッサ１３は、受けたこの入力信号を出力として、ラウドスピーカまたはテレビジョンスクリーンのような出力装置に供給する。音声周波数（ほぼ２０Ｈｚから２０ｋＨＺの間の周波数）の実施例に適用した場合、この構成要素として典型的なディジタルの音声サンプラを使用することができ、例えば、カーツウェル社のＫ−2000のような製品を、プレビューサンプラ１２として使用して構成することができる。以下の説明は、特にＫ−2000を使用する技術を有するユーザに向けのレベルで記載する。そうは言うものの、現代のサンプラの使用技術をおおむね知っている者は、説明の内容を理解できるであろう。一般的な目的の装置に係る使用方法について説明することはさておき、本発明に係る実施例を、一般的な目的の装置を使用する方法で説明するのは面倒なことである。なぜなら、本発明のような特別な設計の目的の実現（このＫ−2000の実施例の後で、続けて説明する内容）には相反するからである。信号（１０）の出力は、簡単にサンプラの入力に結合することができ、サンプラの出力は、信号プロセッサ（１３）の入力に結合することができる。入出力レベルは、既知の技術で一般的に調整される。複雑な処理ではあるが、カーツウェル社のＫ−2000の例で説明するように、サンプラを以下の手順で処理することができるであろう（なお、大文字の英字で、（）に示す用語は、押すべきボタン、押すべき“ソフトウェアのボタン”、または設定すべきパラメータを示す）。
【００１４】
１．サンプラを記録準備モードに設定し、信号が閾値を交差する時点から記録を開始するように設定する。
Ａ-押す〔マスタ（ＭＡＳＴＥＲ）/サンプル（ＳＡＭＰＬＥ）〕。
Ｂ-以下のパラメータを設定（ゲイン（ＧＡＩＮ）、閾値（ＴＨＲＥＳＨＯＬＤ）を設定するときは、信号がサンプラに供給されていなければならない）。
［サンプル（ＳＡＭＰＬＥ）］＝この値に、「無い」を設定。
［入力（ＩＮＰＵＴ）］＝アナログ。
［時間（ＴＩＭＥ）］（長さ）-ユニット全体で使用する「秒」のみ利用可能。
［モニタ（ＭＯＮＩＴＯＲ）］を、必要であれば、［オン（ＯＮ）］。
［ゲイン（ＧＡＩＮ）］を適切に（例えば、０に）。
［レート（ＲＡＴＥ）］を44.1ｋＨｚに。
［モード（ＭＯＤＥ）］を、１または２チャンネルに（最大可能なのは２チャンネル）。
［閾値（ＴＨＲＥＳＨＯＬＤ）］を、サンプラのメータに信号が現れるより、やや小さい量に設定。
【００１５】
２．信号（例えば、楽器を演奏）を伝送し、その信号をサンプラのメモリに記録する。
Ｃ-押す［自動（ＡＵＴＯ）］、信号を伝送し、楽器を演奏する。
Ｄ-指定されたサンプル番号は書き留められるべきで、ステップ３で編集するのに必要になり、終了した時点で最終的に消去される。
【００１６】
３. サンプラをサンプル編集モードに設定し、サンプルの長さを編集して、使用できる長さにする。
Ｅ-［編集（ＥＤＩＴ）］を選択（あなたの操作は、未だ［マスタ（ＭＡＳＴＥＲ）/サンプル（ＳＡＭＰＬＥ）］の状態にある。サンプルの番号は変更していない）。
Ｆ-キーボード上のＣ６４の音符を押し続ける（粘着テープの切れ端は、この目的に使用することが可能である）。
Ｇ-矢印のボタンと一緒に、［Ｌ］（＝ループ）パラメータに移動する。
Ｈ-［Ｌ］パラメータを、スタート点（0.000）に設定する。
Ｉ-矢印のボタンと一緒に、［Ｅ］（＝終了）パラメータに移動する。
Ｊ-［Ｅ］パラメータを設定する。ループの長さは、使いやすくなる（取り扱う素材にもよるが、経験上は、標準的な繰り返し速度は、楽器の単一音符または和音に対して、約３/４秒になるようである）。
【００１７】
４．サンプラをループモードで再生するように設定する（ループモードの再生は、連続した再生を意味し、各々の再生の間に空き時間はない）。
Ｋ-キーボード上のＣ６４の音符を押し続けるか、または
１-サンプルを上記の長さのセットで格納する。
［退出（ＥＸＩＴ）］/［イエス（ＹＥＳ）］/［交換（ＲＥＰＬＡＣＥ）］
２-そして、調整しやすいテンポに設定して、サンプラの歌曲のモードで、１つの測定用音楽を作成する。この作成処理は、下記に示すステップを含む。
［歌曲（ＳＯＮＧ）］/上記番号にそって、［プログラム（ＰＲＯＧＲＡＭ）］を設定/［雑多（ＭＩＳＣ）］/［記録モード（ＲＥＣＭＯＤＥ）］＝線形性/［再生モード（ＰＬＡＹＭＯＤＥ）］＝ループ/［カウントオフ（ＣＯＵＮＴＯＦＦ）］＝１/［メイン（ＭＡＩＮ）］/［テンポ（ＴＥＭＰＯ）］に矢印を付けて、80を設定、例として/［記録トラック（ＲＥＣＴＲＫ）］に１を設定/［記録（ＲＥＤＯＲＤ）］/［一時停止（ＰＡＵＳＥ）］そして、小節をカウントダウンした後で、一様に４拍子で再生し、そして［停止（ＳＴＯＰ）］/［イエス（ＹＥＳ）］/［交換（ＲＥＰＬＡＣＥ）］/［再生（ＰＬＡＹ）］を押し、必要に応じて、［テンポ（ＴＥＭＰＯ）］を調整する。
【００１８】
５．プロセッサ１３の調整を開始。
６．各々の信号サンプルに対し、上記処理を繰り返す。
７．終了時点で、上記で使用したサンプルと歌曲とをメモリから消去する。［マスタ（ＭＡＳＴＥＲ）/サンプル（ＳＡＭＰＬＥ）］でのステップ２から３と、おそらく［歌曲（ＳＯＮＧ）］が、この消去の処理を実施する時に必要になる。
【００１９】
上記の説明は、Ｋ2000のいくつかの知識を必要とする（例えば、どの制御が、どのパラメータに影響するかの知識）。各々のサンプラのブランドおよびモデルは、異なった操作となるが、他のモデルの機器も、本質と目的は同じであっても、またその操作は異なることであろう。しかし、Ｋ2000は１つの実施例であり、当業者は、他の装置がプリビューサンプラ１２として使用できることが可能であることは理解できるであろう。
【００２０】
ここで、本発明の実施例によって、構成されるプリビューサンプラ１２の説明に戻すと、接続は、上記の図１で説明したのと同様である。信号１０の出力は、プリビューサンプラ１２の入力に接続されており、プリビューサンプラ１２の出力は、信号プロセッサ１３に接続されている。信号レベルは、業界で知られているように、組み合わせとして調整される。この実施例では、２つの制御だけを必要とする。すなわち、１つは、記録準備ボタンであり、もう１つは、ループの長さ設定用ボタンである。上記の＃１〜７で説明した２０以上の手順のシーケンスは、以下の内容に置き換えることができる。
１．（オプション）現在の長さ設定が不適切な場合は、ループ長さ制御用のノブを調整する。
２．トリガの閾値を設定する。
３．記録準備用ボタンを押す。
４．信号を伝送する（例えば、楽器を演奏する）。
５．プロセッサ１３の調整を開始する。
６．各々の信号サンプルに対し、上記処理を繰り返す。
要求があれば、代替の内容および/または追加する内容として、ループの長さは、信号調整の最中でも調整することは可能である。入出力のゲインコントロールも、変更したい時点で、増加減少することも可能である。記録処理は、初期設定された閾値から開始されるが、また、オペレータの制御している信号を即座に開始するオプションを活用することもできる。当業者には一般的に知られているが、閾値検出回路の１つの例を、図１０に回路要素９２として示してある。
【００２１】
図２は、本発明に基づき設計した１つの実施例を示している。音響周波数用コーデックは、通常２つのチャンネル用（一般消費者の市場に向け、ステレオ信号に対応するため）に設計されているので、この例では２つのチャネルで示されている。１つのチャネル、または複数のチャネルの装置で使用することも可能である。ユーザインタフェース２３には、状態表示装置が含まれている。表示内容としては、“記録準備”、“停止”、“サンプル長さ”、“テンポ”、“トリガ閾値”の制御用表示が含まれる。いくつかの装置では、表示している分離した入出力ポートの代わりに、ユーザインタフェース２３への入出力用として、データバス２４を使用させることが可能である。
【００２２】
オペレータは、トリガの閾値を設定し、そして、制御信号をユーザインタフェース２３からマイクロプロセッサ２１に伝送し、記録および/または再生のシーケンス制御を開始する。信号源１０は、コーデック２０の入力信号用に供給され、ここで、アナログ信号からディジタル信号に変換される（また、信号処理の流れの中の後半では、ディジタル信号からアナログ信号に変換される）。ディジタル化された信号は、コーデック２０のシリアルデータ出力（ＳＤＯ）からマイクロプロセッサ２１の受信データ０用ポート（ＲＸＤ０）に送出される。そして、マイクロプロセッサのアドレスバスを経由して、データがメモリ２２に書き込まれる。メモリへの記録が完了すると、メモリ２２の内容は、連続してマイクロプロセッサのデータバス２４を介して読み出され、マイクロプロセッサ２１の送信データ０ポート（ＴＸＤ０）からコーデック２０のシリアルデータ入力（ＳＤＩ）に送出される。コーデック２０は、受信データをアナログ信号に変換し、変換後の信号を信号出力から送出する。こうして、信号源からの信号は、信号プロセッサ１３に伝送されることが可能となる。
【００２３】
図３は、図１の実施例をマルチチャネル型にした場合を示しており、同時に存在する信号１０a、１０b、…１０nの各々が、個別の処理を必要とする状況にある。各々のチャネルは、図１の単一のチャネルと同一であるが、しかし、全てのチャネルは、同時に動作し、コントローラの１組のセットによって、同時に制御されるようになっている。この同時に制御することは、プロセッサ１３a、１３b、…１３nが相互に作用するときは特に助かることであり、各々のプロセッサの設定の調整に影響を与えることが可能になる。通常の例では、種々の音響信号の出力は、組み合わされることになり、そして、１つまたは複数の楽器または音声の近くに置かれたマイクロフォンからの各々の出力は、通常のステレオ音に構成するように２つのチャネルに混合されることになる。このような状況で、生の楽器によるかなりの量と思われるクロストークが、マイクロフォンの信号の中で聞こえるようである。実施例では、与えられた状況で必要な数の多くのチャネル（さもなければ、許される限りの数）を準備することが可能である。各々の信号のパスに対し、レベルが一旦設定されると、プリビューサンプラの処理は、図１において実施したのと同じように実施され、設定されるチャネルの数とは関係ないことになる。この実施は、単独のサンプルの記録と同時に、各プロセッサが互いに異なった信号源に対して、調整することを許すことになる。
【００２４】
上記の実施は、高価でない比較的処理速度の遅いマイクロプロセッサによって実現可能である。必要とされる処理のほとんどが、簡単なリード/ライト処理の周期的な処理だからである。しかし、重要な周波数帯域幅を有する信号にとっては、装置の限界は考慮する必要がある。サンプルする信号の数が増加するにつれ、プロセッサは、高速にする必要があり、および/または多数の入力信号を取り扱うようになり、また一方で、より大きなデータのメモリブロックを指定するようにもなる。同様に、すべての装置が適切な速度で、リードとライトを実行できるようにしなければならない。このような可聴周波数の例での比較的小さな周波数帯域（約２０ｋＨｚ）を考慮すると、可聴周波数の標準として、４４．１ｋＨｚで１６ビットの分解能が通常認められているので、プロセッサは、0.7056ＭＨｚに取り扱う信号数を乗算した値をいくぶんか上回る速度で、実行しなければならない。構成要素（特に、マイクロプロセッサ）にとって負担となって増加するような、この速度の問題を解決する１つの方法は、複数のセット（コーデック＋マイクロプロセッサ＋メモリ）を並行して実行させることで、１つのセットが、各々の信号またはペアの信号を取り扱うようにする。
【００２５】
図４は、図３の実施例の第１の具体的な例で、図２で示したタイプの構成を並列の組み合せにして使用している。ここでの機能と処理は、ユーザインタフェース２３がすべてのマイクロプロセッサ２１と接続していることを除けば、図２に示した内容と同一である。この例では、コーデック２０は、表示してあるように各々が２チャネルを有しているので、ｎ台のコーデックがあれば、合計２ｎ個の信号を扱うことが可能である。これらのセット（コーデック＋マイクロプロセッサ＋メモリ）の数は、共通クロックの出力能力（fan out）とユーザインタフェースの出力能力の限界まで、拡張することが可能である。
【００２６】
図５は、図３の実施例の第２の具体的な例で、この場合、並行処理のマイクロプロセッサのグループの代わりに１つのマイクロプロセッサを使用している。１つのマイクロプロセッサ２１にディジタル信号の複数入力を統合することは、費用面、また一方、他の目的での使用および/または配置の柔軟性の面で、有利なことをもたらすことが可能である。有利となる１つの例は、すべてのチャネルを瞬時に記録できることよりも、同時間に１つのチャネルを独立させて再生のためにサンプルできるモードがあることである。このことは、限られたメモリ容量に対して、より長いサンプル時間を可能にしてくれる。上記で説明した理由から、この図５の例は、２つのチャネルのコードを使用することができ、取り扱う信号の合計数をｎ個から２ｎ個へ拡張することができる。
【００２７】
図５のインタフェース、機能および処理は、図２と同じである。オペレータは、トリガの閾値を設定し、制御信号をユーザインタフェース２３から、マイクロプロセッサ２１に伝送して、記録/再生の順序制御を開始する。信号源１０からの信号１〜２ｎは、コーデック２０の信号用入力部に供給され、そしてアナログ信号からディジタル信号に変換される（また、信号処理の流れの中の後半では、ディジタル信号からアナログ信号に変換される）。ディジタル化された信号は、コーデック２０のシリアルデータ出力（ＳＤＯｓ）からマイクロプロセッサ２１の受信データ０ポート（ＲＸＤ0）に送出される。そして、マイクロプロセッサのアドレスバスを経由して、メモリ２２に書きこまれる。メモリへの記録が完了すると、メモリ２２の内容は、マイクロプロセッサのデータバス２４を介して連続して読み出され、マイクロプロセッサ２１の送信データ０ポート（ＴＸＤ0）からコーデック２０のシリアルデータ入力（ＳＤＩs）に送出される。コーデック２０は、受信データをアナログ信号に変換し、変換後の信号を信号出力から供給する。そして、この信号は、信号プロセッサ１３に伝送されることが可能となる。
【００２８】
図６に関連して、図５のデバイスとして可能な配置品としては、アナログデバイセズ社（Analog Devices）のＡＤ1847（製品型式）という２チャネルのコーデック用ＡＤ変換・ＤＡ変換のデバイスが使用することができる。８チャネルのサンプラのために、４つの遅延連鎖型のコーデック２０（図６では、３つを表示）は、インテル（Intel）社の低価格の製品80C186（製品型式）を利用するマイクロプロセッサ５１に、１つまたは２つのシリアルポートを介してインタフェースとして接続することが可能である。マイクロプロセッサからは、１メガバイトのＲＡＭ（Random Access Memory）に直接アクセスすることができ、そしてダイナミックメモリを定期的にリフレッシュすることが可能である。２４ビットのデータバスを使用して、有効なダイナミックメモリのメモリ容量は、３メガバイトである。より長い時間の記録のためには、コーデックは８ビットのデータ変換機能の持つもので、線形性または補償用アルゴリズムのいずれかを有するものを配置することが可能である。この場合、音のダイナミックレンジは縮小されるが、しかし、有効な合計の記録時間は、１６ビットでデータの記録時の２倍にすることができる。一方、アドレス拡大システムまたは広いアドレスバスを有するマイクロプロセッサは、本発明のデバイスの限界より大きな記憶容量が必要とされるところで使用することが可能である。
【００２９】
図７に、スイッチングネットワークと１つまたは２つのチャネルの種類とを一体化して、マルチチャネル用プリビューサンプラの機能を模倣した方法によるブロック構成図を示す。この図７において、図１の実施例の２チャネル型は、スイッチングネットワークとミキサ用マトリックスとが一体化され、複数の信号源とに対して複数のプロセッサにより調整できるようになっている。この実施方法は、一度に１つの信号源の調整しかできないので、調整する信号を変更する度に、新しいサンプルを記録しなければならない。したがって、図３のマルチチャネルの実施方法ほどは便利ではないが、ある条件のもとでは、比較的安価および/また比較的柔軟性の可能性がある。図１のプリビューサンプラを利用した２チャネルの実施（例えば、図２に示すように）は、信号ミキサのマルチチャネルの信号パスに適切に挿入するように入力部と出力部に配線を行うことで、スタンドアロンの装置として使用することが可能である。しかし、サンプリングと調整の処理は、マルチチャネルの信号ミキサと自動の信号スイッチングシステムとで構成した場合の方が、使用するのにきわめて容易である。
【００３０】
図７において、信号１０（図７で示す１０＃１-ｎ）の中の１つが、調整のために選択され、単独信号（the Solo Signal）として指定される。スイッチングシステム（ここでは示しておらず、しかし、図９〜１４の所で説明）は、同時に３つの単独の選択スイッチ７１、７４および７５に影響を及ぼす。スイッチ７１は、指定された単独信号の出力を通常のプロセッサへのパスを取り止めて、プリビューサンプラ１２のチャネルＡへ出力先を変更する。スイッチ７４は、プリビューサンプラ１２のチャネルの出力Ａを、単独信号の選択チャネルに関係する信号プロセッサの入力に接続し、帰還する単独信号を伝送する。スイッチ７５は、選択された上記単独信号に係るプロセッサからの出力信号を、出力装置１９ａに送出する。
【００３１】
他のすべての信号（上記単独信号以外の信号）は、指定されたプロセッサに直接伝送され、各プロセッサの出力から、信号ミキサ７６に送出される。この信号ミキサは、選択された単独信号のチャネルのプロセッサからの出力とバランスがとれるように、信号の長さの比率が維持できるように設定されており、最終の混合信号用として使用されることになる（プロセッサの調整が完了した後で、プリビューサンプラは、この環境条件から事実上除去される）。ミキサの出力は、プリビューサンプラ１２のチャネルＢに送出される。このチャネルＢの出力は、出力装置１９ｂに直接送出することが可能である。上記の信号は、上記プロセッサを通過した後では、チャネルＢの記録は、上記信号が混合されたものとなるので、サンプラ１２のチャネルＢに行くプロセッサで行われた調整は、出力装置１９ｂに送られる信号に何の影響も与えないことに注意すべきである。そして、信号プロセッサが異なった調整を必要とする度に、新しい記録方法にしなければならない。
【００３２】
この実施例において、選択された‘単独信号（the Solo Signal）’の信号の出力は、プロセッサを介して出力装置１９ａで利用される。また、存在する他の信号のすべては、出力装置１９ｂに与えられる。これは、各々の信号プロセッサおよび/または全ての信号プロセッサの調整が考慮されており、信号領域全体への影響があるか無いかにかかわらず、順々に調整がなされていく。各信号のチャネルが完全に独立である場合は、他のチャネル信号を混合する必要はなくなる。このように完全独立の場合、プリビューサンプラの１チャネル型（図１）を使用することが可能なので、項目１０ｂ、７６および１９ｂは、図７から除去することができるであろう。
【００３３】
図８は、１つまたは２つのサンプラユニットに通常以外の機能を付加する目的で、共通に使用する場合、前置した残響装置を使用する場合、また一方、付加機能および/または変更機能を発揮する効果ユニットを使用した場合を、一般的なブロック図で示してある。これは、本発明の１つの実施に際し、掛かる費用と努力の最小化を図ることを可能にするものである。これらの装置は、通常２つのチャネル用ユニットとして使用されるが、ここでは、以下の選択２）と選択３）で説明する機能を付加している。望ましいのは、単独チャネルとしては、同一の装備であることである。どのようなディジタルのステレオ残響ユニットでもほとんどが、プリビューサンプラのような機能に変更することが可能である。実際の変更例を下記で説明するが、ここでは、ユニットの機能が、環境条件においてどうなるかが判ることであろう。
【００３４】
３つの可能なまたは可能と思われる調整が、機能選択スイッチによって容易に達成することが可能である。これらの調整とは、
選択１）ユニットは、通常通りに操作され、残響のような効果処理プログラムが設定される。信号ミキサの補助用の送信/返信ループ内に、２つのチャネルの挿入箇所を据え付けることが可能である。効果ユニット８２の入力Ａ、Ｂへの信号は、共通の信号ミキサの補助用送信出力８１の左右の端子（またはモノ端子）から伝送される。効果ユニット８２の出力Ａ、Ｂからの信号は、共通の信号ミキサの補助用返信８３の左右の端子に直接伝送される。
選択２）ユニットは、サンプラモードに設定される（以下で説明）。効果ユニット８２の入力Ａ、Ｂへの信号は、今度は独立した２つの信号源８１から来る。この信号は、ピアノの音を記録するために設定した２つのマイクロフォンから来る信号ｘ、ｙを増幅したような音の信号が該当する。効果ユニット８２の出力Ａ、Ｂからの信号は、信号ｘ、ｙの各々に関連した信号プロセッサｘ、ｙの入力８３に直結される。
選択３）ユニットは、上記の選択２）と同じように、サンプラモードに設定される。そして、上記で充分説明したような、図７の２つのチャネル装置１２と同一動作が行われる。
【００３５】
図９と図１０は、変更用に前置した効果プロセッサ（表示していない）を含む１つの実施例を示す。この実施例で使用される装置は、ＡＲＴ社（Applied Research and Technology,Inc）からのＯＥＭ製品である残響/効果ユニットを使用することが可能である。この製品は、分離した２つの入出力チャネルをもち、番号１０８と１０４に、左（Ｌ）、右（Ｒ）のマークが記載されている（比較的長時間のループ時間が必要なときには、基板搭載のメモリに付与された容量で、モノラルに使用することができる。ただし、この機能は、単一信号用には削除されている）。このＡＲＴ社のユニットは、データ選択用ハンドル（data wheel）１０１によって選択される１６個のバンク（bank）の形式で用意されているような２５５のプリセット機能を有している。１個のバンクは、サンプリング用に使用され、８組のプリセットを有しており、各々の組は、メトロノーム機能（metronome marking）に対応するループ時間に同期している記録機能と再生機能とを有している。ループ時間Ｔは、データ選択用ハンドル１０２によって、プリセットの組の中から選択することができる。サンプリングは、連続した記録機能から形成することができ、ユニットの１つのタップ遅延の長さＴ、すなわち５０ｍｓ（ミリ秒）を使用しており、フィードバック無しである（＝０％の再生）。この設定は、出力と入力とが等しいことを意味するが、しかし、信号は、Ｔすなわち５０ｍｓ遅れてから出力されることになる。トリガ回路９２（図９では、トリガ検出と表記）はループの出力をモニタしているので、スイッチングモードは、全波形がメモリに記録された後で発生する。トリガデバイス９２（図９では、トリガ検出と表記）が、リセットスイッチ１０５によって設定されると、トリガデバイスは、正弦波９０が点線のラインを超えるのが表示されているように、事前に設定された閾値を超えるまで待つことになる。閾値を超えた後では、トリガ出力は、リセットスイッチ１０５がリセットされるまで動作状態になる。論理ゲート９３は、サンプリング用のプリセットの組における最下位ビットを、トリガ出力信号用として使用している。動作中のトリガ信号は、最下位ビットをトグル（状態保持）させたまま、サンプルの記録から再生までのユニットのプリセット動作のためのスイッチとして機能する。論理ゲート９３は、プリセット用データ選択用ハンドルからの最下位ビットを、他のすべて（サンプリング以外）のバンクのために使用している。再生タイプのプリセットは、入力を遮断し、再生率を１００％にして、ループ時間をＴに設定することにより、記録タイプのプリセットから変わることができる。これは、出力信号を、Ｔｍｓ以前の出力信号と同一とすることであり、時間の長さＴの再生ループを継続させる効果がある。トリガのメカニズムによって信号の開始部分が削除されないようにするため、再生ループに余分な５０ｍｓの時間を付加して組み合わせた出力からトリガを与える方法は、記録してあるループの開始部分に５０ｍｓを付加してくれる（トリガによる順序制御の全体時間は、５０ｍｓ未満である）。この例で５０ｍｓを選択したのは、２０Ｈｚの信号を記録するために必要な時間の長さであり、音響分野で実際に使用する波長の中で最長の��長だからである。トリガ回路は、また記録している状態を待つ期間中に、制御フラグ１０９を発生させる。これは、多チャネルのスイッチング計画に使用するためである。待機状態のとき、ロータリ型のスイッチ１０７の設定によって決定される独立型メトロノーム１０６のテンポに同期して、トリガ回路はＬＥＤを点滅させる。再生中は、ＬＥＤは常時点灯する。他の状態のときは、ＬＥＤは消灯している。また、このシステムは、プリエンファシス（pre-emphasis）回路１０８と中周波数域から高周波域用のポストデエンファシス（post-de-emphasis）回路１０４とを具備している。このことより、１つのループの終了から次のループの開始までの間に起る電圧の突然変化による不自然なクリック（clicks）音を効果的に除去することができ、円滑なつなぎ合せを確保している。
【００３６】
図１１〜１４は、図７の方法を完成させるためのいくつかの詳細内容を示している。２つのチャネルのプリビューサンプラは、マルチチャネルの信号パスに適切に挿入するように入力部と出力部とに配線を行うことで、スタンドアロンの装置として使用することが可能である。しかし、サンプリングと調整の処理は、マルチチャネルの信号ミキサと自動の信号スイッチングシステムとで構成した場合の方が、使用するのにきわめて容易であり、このことは図７に示している。２つの変更例を、ここで説明する。図１１と図１２は、信号ミキサを構成する設計（例えば、製作する工程の一部として）を示している。図１３は、スタンドアロンのユニットを示しており、自動のスイッチングシステムと信号インタフェースを含むので、標準的な前置用の信号ミキサに外部で接続するように設計されている。図１４は、選択制御装置の１つの実施例を示し、上記２つの変更のいずれかに使用するためのものである。
【００３７】
この選択の目的のため、スイッチングネットワークは、以下の処理を達成させるべきである。
１）事前に処理された信号を、サンプラのチャネルＡに入力する。
２）チャネルＡでサンプルされた信号を、調整するプロセッサへ出力する。
３）他の信号と混合したポストプロセッサからの最終信号を、調整中の信号を差し引いて、サンプラのチャネルＢに入力する。
４）チャネルＢのサンプルした混合信号を出力する。
チャネルＡ，Ｂからの出力は、最終の混合信号では同一レベルにするべきである（サンプリングシステムが無ければ、まったく同一になる）。図８の選択２）におけるデュアルチャネル（ｘとｙ）のシナリオでは、スイッチングネットワークは、両方のサンプラチャネルＡ，Ｂのために、上記に説明した処理１）と処理２）を実行することだけが必要とされているはずである。図８の３つの選択（通常の効果処理、２つの信号のサンプリング、および単一の信号に混合信号を付加したサンプリング）をすべて遂行することは、スイッチングの複雑な配列を実現したことになる。
【００３８】
図１１と図１２のａは、自動的スイッチング処理を実施するためのブロック図と詳細な回路図を示している。１つの回路ブロック１１０は、各々の信号チャネルに必要である。これらのスイッチングモードを遂行するためには、少なくとも２極２投（ＤＰＤＴ）のオン・オフ・オン型スイッチ１１１と、１極２投（ＳＰＤＴ）のオン・オフ・オン型スイッチ１１５が必要とされる。また同様に、プリビューサンプラ回路１２の出力部には、２極２投（ＤＰＤＴ）のオン・オフ・オン型スイッチ１１７が必要とされる。すべてのスイッチは、ディジタル的に制御することができる。図１２のｂは、図１２のａで使用のスイッチ４０５３（メーカ型式）のピンの外部配置を示している。このスイッチは、４つの各ビットの制御信号に対応して選択動作を行う。４つの選択内容は、２つの全体的なモードメッセージである“サンプル”（ＳＭＰ）と“シングル/ダブル”（２ＣＨ）、および、２つのチャネルを特定するメッセージである“チャネル選択”（ＣＳ）と“Ａ/Ｂのパス”（Ａ/Ｂ）が該当する。スイッチング動作の機能をまとめた表を下記に示す。
【表１】
2006523851.tif 000003
【００３９】
特定の信号ミキサのチャネル１１０のスイッチ１１１は、該当チャネルが調整のために選択されたとき、プリビューサンプラ回路１２（図１１〜図１３には、プリビューサンプラユニットと表記）に信号を入出力するのに使用される。“チャネル選択”はサンプラを作動させ、“Ａ/Ｂのパス”は、サンプラのチャネル選択に利用される。そうでないときは、各スイッチはオフの状態となる。
１）単独＋ミキサのモードにおいては、選択信号によりスイッチ１１１はオンに設定され、チャネルＡは、入力１０n（図１１には、ゲイン調整回路として表示）からの信号を混合アンプ１１６へ送出する。プリビューサンプラ１２の出力信号は、アンプ１２４へ送られてから、次に信号プロセッサ１３に送られる。この場合、他のスイッチは、すべてオフの状態である。
２）デュアルチャネルモードにおいては、２つの選択信号は、スイッチ１１１をオンの状態にしており、１つはチャネルＡ、もう１つは、チャネルＢに使用され、信号プロセッサ１３の調整は、２つの異なった信号を同時に処理することが可能である。この場合、他のすべてのスイッチは、オフの状態である。
３）通常モードにおいては、スイッチ１１１のすべてがオフの状態である（サンプラは、まったく使用されていない）。スイッチ１１５は、付加されているフェーダ（fader）１１３の前後において、ポストプロセッサ（post-processor）、ポストフェーダ（post-fader）からの信号１１２をサンプラのチャネルＢの入力１１６で混合させるために送出する。オフ状態では、信号の送出はしない。
４）単独＋ミキサのモードにおいては、スイッチ１１５は、信号ミキサの、１つの信号ではなくすべての信号のためにオン状態にある。チャネルＡでの調整のために選択された信号のためには、オフ状態になっている。そして、チャネルＡは、調整された信号を有しており、チャネルＢは、他のすべての混合した音のデータを保有している。チャネルＢをオンオフさせて、事前観察することは、混合が調整信号にどのような影響を与えるか比較する結果を提供してくれる。
５）デュアルチャネルモードにおいては、混合が必要無ければ、スイッチ１１５のすべてが、オフの状態である。
６）通常モードにおいては、スイッチ１１５のすべては、後半で発生する補助的減衰信号を、補助的バス１１４に送出するように設定することができ、これによって、プリビューサンプラ１２（図１１〜図１３には、プリビューサンプラユニットと表記）として使用している装置を他の目的で使用することを可能にしている。例えば、残響効果のためである。図１１と図１２とで注意すべきことは、効果ユニットをモノラル源の信号からステレオの残響領域を合成するのに使用することを想定している点である。これは共通の技術となっているので、図面を簡略化することは許される。そして、通常モードでは、補助的バス１１４は、単一のチャネルで、プリビューサンプラユニット１２のＢ入力のみに送出される。
【００４０】
スイッチ１１７は、左右のマスタ出力バス１１８を有するサンプラの出力部とのインタフェースを備えている。
７）単独＋ミキサのモードにおいては、チャネルＢのモノラルの混合信号は、単一ゲインで、左と右の両方の出力部に送出される。チャネルＡは、直接マスタバスには到達することは、まったく無い。チャネルＡは、スイッチ１１１によって選択された信号のミキサのパスに挿入され、そして、このような方法で出力に到着する。
８）デュアルチャネルモードにおいては、チャネルＡとＢは両方とも、２つの信号ミキサのパスに挿入される形で機能して、混合は含まれず、マスタバスに直接接続されることもない。
９）通常モードにおいては、デバイス１２の出力信号は、フェーダの１組のペアを経由して、マスタバス（チャネルＡは左、チャネルＢは右）に送出することが可能である。
【００４１】
図１３は、上記で説明した第２の変更例の回路図である。これは、スタンドアロンのユニット用であり、自動スイッチングシステムとインタフェース信号とを含み、標準的な前置の信号ミキサおよび信号プロセッサと外部で接続される設計となっている。この機能は、図１２とほとんど同一であり、サンプラからスイッチ１１１への制御信号１２８と同一の制御信号を必要としており、記録モードで選択したチャネルの信号を減衰させる機能が付加されている。記録するとき、アンプ１２５からの出力信号は無く、したがって、直接的な信号は、ミキサのライン上のどこにも現れることはない。この特徴は、単独＋ミキサのモード（上記で説明した）において有効であり、特定のチャネルを選択すること無く全体での混合信号を得る場合が望ましい。しかしながら、この混合信号は、この変更例においては自動的に作り出されたものではなく、代わりにユーザから供給されるものでなければならない。混合するための入力は、アンプ１２６からである。ここで、スイッチ１２７は、主に入力を指示し、プリビューサンプラ１２のチャネルＢの“単独＋ミキサのモード”用に、１２６のＡ入力と１２６のＢ入力とからなるモノラルの混合信号を作り出し、また一方で、プリビューサンプラ１２のチャネルＢの出力信号を、メイン出力である１２３のＡ出力と１２３のＢ出力両方へ導く。追加する抵抗ネットワーク（未表示）は、２つの似たような信号が、１２６のＡ入力と１２６のＢ入力とで合成されたときに、起り得る過負荷にならないように、モノラルの混合信号の入力ゲインを減衰させることが可能である。デュアルチャネルモードにおいては、入力１２６は減衰しているので、メインの出力１２３では、ほとんど関係ない状態となっている。
【００４２】
ＩＣ型式４０５３（メーカ型式）は、禁止条件付きの２チャネルマルチプレクサが３つ内蔵されており、図１１〜１３における各々のスイッチ１１１、１１５、１１７および１２７に使用することができる。使用しているＩＣ型式４０５３のピンの外部配置図を、図１２のｂに示す。スイッチ１１５と表記している単一のスイッチには、物理的に２つのスイッチがあることに注意が必要である。
【００４３】
図１４は、図１１〜１３の実施例に使用する論理デバイスの１つを実現させる回路図である。制御データ発生の図表は、集中化したユーザインタフェースを実例として説明したものである。ユーザは、キーパッド、データ選択用ハンドルまたはスクロール型スイッチのような入力装置から、希望するチャネルを選択することになる（他に準備できる処理方法としては、信号ミキサの上に置いた各々のチャネル配列表、または個別の選択スイッチのような物で、チャネル選択を行えるであろう）。付加する論理用ＩＣとして、８ビットの双方向シフトレジスタ７４Ｆ２９９（ＩＣ型式）を採用している１４１、１４２は、サンプラ１２のチャネルＡとＢ（未表示）への入出力する信号を指示する際に、１入力を９出力のいずれかにデータ選択ができるように用意している。レジスタ１４１は、通常の処理を可能にするか（ＳＭＰの入力信号はローレベル）、または各々のチャネル信号用にチャネルＡを設定することができる。レジスタ１４２は、各々のチャネル信号用にチャネルＢを設定するか（２ＣＨの入力信号はハイレベル）、または、レジスタ１４１がサンプルモードのとき（ＳＭＰの入力信号はハイレベル）に、混合モードに設定する。これらのレジスタは、４つのボタンのキーパッド１４３によって操作される。また、図１４には、４つのボタンをＳ１、Ｓ２、Ｓ３、Ｓ４で表記している。レジスタの移動、すなわちスクロールアップまたはスクロールダウンは、セット・リセットのラッチ回路（SR latch）１４４に設定することができる。そして、再トリガが可能な単安定マルチバイブレータ１４５と１４６が、形状が明確なクロックパルスをレジスタ１４１と１４２に供給することにより、順序制御に沿ったスクロールが各々で行われるようになる。レジスタ１４１と１４２のチャネル選択およびモード選択は、論理ゲート１４７によって、上記で説明した制御データのＣＳの１〜８とＡ/Ｂの１〜８とに変換される。チャネル選択の状態は、ＬＥＤのバーグラフ表示回路１４８に表示することが可能である。
【００４４】
本発明の使用は、デバイスの間欠的な故障（例えば、電子デバイスの損傷）を検出するのに特に有利である。多くのデバイスは、時々ではあるが、数時間毎に１回程度の間欠的な不必要なノイズを発生させるような故障を発生させることがある。この故障の再現を待つことは、技術者にとっては問題である。通常、対応する技術者は、発生の原因究明と解決を図るために、問題となる現象を明らかにすることが必要になるであろう。閾値の設定を有するプレビューサンプラを使用することは、技術者がその場に居なくても、故障を起こすような現象発生を記録することが可能である。そうすれば、技術者は、現象発生後に、記録されたデータを解析することが可能である。加えて、光源や音源に変換するような“準備用”信号にすれば、ユーザにそのような現象が発生しているという注意を告げるのに使用することが可能である。閾値のレベルは、入力に信号が無い状態を“ノイズの下限”として、それ以上の値に設定すれば、不必要なノイズが現れたときのみ、トリガが発生することになるであろう。
【００４５】
この使用目的のためには、テスト用信号の利用が望まれるし、または必要とされるところなので、プレビューサンプラの入力の閾値がミキサに適合したものとなるように、このミキサは、テストされるデバイスから受け取った入力信号に、信号発生源からの信号を直接極性反転して得られる反転テスト信号を加算するようになっている。ミキサ内にて、相対的レベルのバランスをとることにより、上記の２種の信号を加算して、加算結果を零にすることが可能になり、そして、閾値のレベルは、上記で説明したノイズの下限に設定されることになる。テスト対象の装置が、装置の動作内容を変更したときだけ、上記のトリガは、使用できなくなる。
【００４６】
第２のシナリオは、図３〜５のようなマルチチャネルの使用で、同時に回路の異なった部分で記録することができる。これは、技術者に、異なった場所での回路の動作状況を比較することができ、どちらの場所の回路が不適切であるかを決定させることを可能とする。プレビューサンプラの出力におけるスイッチは、オシロスコープで各々の記録したサンプルを観測することを容易にしてくれるであろう。このシナリオは、上記で説明した間欠的なエラーの検出や収集に結びついたときに、特に助かるものである。
【図面の簡単な説明】
【００４７】
【図１】本発明の１つの実施に従って構成された装置の一般的なブロック図である。
【図２】２つのチャネルのデバイスを示すための図１の装置に係る詳細なブロック図である。
【図３】複数のチャネルのデバイスによる構成を示すための図１の装置に係る一般的なブロック図である。
【図４】並行処理のマイクロプロセッサを使用した図３の装置の複数のチャネルのブロック図である。
【図５】単独のマイクロプロセッサを使用した図３の装置の複数のチャネルのブロック図である。
【図６】図５の装置の一部を示す詳細図である。
【図７】図３のマルチチャネルの代替となる２チャネルを可能にする１つの実施例を示す一般的なブロック図である。
【図８】図１と図３の装置のプリビューサンプラ１２のための多目的のデバイスを取り込んだ１つの実施例を示す一般的なブロック図である。
【図９】本発明の手段をさまざまな観点から取り入れた装置の一般的なブロック図である。
【図１０】図９の装置の詳細な回路図である。
【図１１】信号ミキサに結合している、図９と図１０との装置における１つの実施例のブロック図である。
【図１２】図１２のａは、図１１の装置の詳細な回路図である。              図１２のｂは、図１２のａ、図１３で使用されているスイッチのピンの外部配置を示す図である。
【図１３】分離している前置きの信号ミキサと結合するスタンドアロンのユニットとして設計された、図９と図１０の装置の１つの実施例を示す回路図である。
【図１４】図１１〜図１３の装置に使用されている選択用制御装置の可能な１つの実施例を示す回路図である。
【図１】
2006523851.tif 000004
【図２】
2006523851.tif 000005
【図３】
2006523851.tif 000006
【図４】
2006523851.tif 000007
【図５】
2006523851.tif 000008
【図６】
2006523851.tif 000009
【図７】
2006523851.tif 000010
【図８】
2006523851.tif 000011
【図９】
2006523851.tif 000012
【図１０】
2006523851.tif 000013
【図１１】
2006523851.tif 000014
【図１２】
2006523851.tif 000015
【図１３】
2006523851.tif 000016
【図１４】
2006523851.tif 000017
【国際調査報告】
2006523851.tif 000018
2006523851.tif 000019
2006523851.tif 000020